(57)【要約】【課題】ＤＲＸ制御に関するパラメータの最適化を図ることができ、移動局ＵＥにおける電力消費を最大限低減しつつ、バーストトラヒックデータに対するスケジューラの柔軟性を保ち、無線リソースの有効利用を行うことができる。【解決手段】間欠受信タイミングにおいて無線基地局ｅＮＢから送信された無線リソース割当チャネルが、特定条件を満たす場合には、移動局ＵＥは、無線基地局ｅＮＢから送信される信号に対して間欠受信を行っている場合であっても、無線基地局ｅＮＢから送信される信号に対して連続受信を開始せずに、無線基地局ｅＮＢから送信される信号に対して間欠受信を継続するように構成されている。【選択図】図１０
2010252401.tif 000002
【特許請求の範囲】
【請求項１】
無線基地局から送信される信号に対して間欠受信を行っている移動局が、間欠受信タイミングにおいて該無線基地局から送信された無線リソース割当チャネルの中に該移動局に割り当てられている移動局識別子が含まれていることを検出した場合に、該無線基地局から送信される信号に対して連続受信を開始するように構成されている移動通信システムであって、
前記間欠受信タイミングにおいて該無線基地局から送信された前記無線リソース割当チャネルが、特定条件を満たす場合には、前記移動局は、前記無線基地局から送信される信号に対して間欠受信を行っている場合であっても、該無線基地局から送信される信号に対して連続受信を開始せずに、該無線基地局から送信される信号に対して間欠受信を継続するように構成されていることを特徴とする移動通信システム。
【請求項２】
前記間欠受信タイミングにおいて前記無線基地局から送信された前記無線リソース割当チャネルは、前記移動局に対する下り無線リソースとして、無線リソースを割当可能な最小の時間単位よりも長い間有効となる無線リソースを割り当てるものである場合に、前記特定条件を満たすと判断されることを特徴とする請求項１に記載の移動通信システム。
【請求項３】
前記無線基地局と前記移動局との間でＨＡＲＱ制御が行われており、
前記無線基地局は、前記無線リソース割当チャネルによって、前記移動局に対する下り無線リソースを割り当て、該下り無線リソースを用いて、下りデータを送信し、
前記無線基地局から送信された前記無線リソース割当チャネルは、前記移動局に対する前記下りデータについての前記ＨＡＲＱ制御の再送用の下り無線リソースを割り当てるものである場合に、前記特定条件を満たすと判断されることを特徴とする請求項１に記載の移動通信システム。
【請求項４】
前記無線基地局は、前記無線リソース割当チャネルによって、前記移動局に対する下り無線リソースとして、無線リソースを割当可能な最小の時間単位よりも長い間有効となる無線リソースを割り当て、該下り無線リソースを用いて、下りデータを送信し、
前記間欠受信タイミングにおいて前記無線基地局から送信された前記無線リソース割当チャネルは、前記移動局に対する前記下りデータについての該ＨＡＲＱ制御の再送用の下り無線リソースを割り当てるものである場合に、前記特定条件を満たすと判断されることを特徴とする請求項３に記載の移動通信システム。
【請求項５】
無線基地局から送信される信号に対して連続受信を行っている移動局が、所定タイマが満了する前に、該無線基地局から送信された前記無線リソース割当チャネルの中に該移動局に割り当てられている前記移動局識別子が含まれていることを検出した場合には、該所定タイマを再起動し、該所定タイマが満了した場合には、該無線基地局から送信される信号に対して間欠受信を開始するように構成されている移動通信システムであって、
前記無線基地局から送信された該無線リソース割当チャネルが、特定条件を満たす場合には、前記移動局は、前記所定タイマが満了する前に、前記無線基地局から送信された前記無線リソース割当チャネルの中に該移動局に割り当てられている前記移動局識別子が含まれていることを検出した場合であっても、該所定タイマを再起動しないように構成されていることを特徴とする移動通信システム。
【請求項６】
前記無線基地局から送信された前記無線リソース割当チャネルは、前記移動局に対する下り無線リソースとして、無線リソースを割当可能な最小の時間単位よりも長い間有効となる無線リソースを割り当てるものである場合に、前記特定条件を満たすと判断されることを特徴とする請求項５に記載の移動通信システム。
【請求項７】
前記無線基地局と前記移動局との間でＨＡＲＱ制御が行われており、
前記無線基地局は、前記無線リソース割当チャネルによって、前記移動局に対する下り無線リソースを割り当て、該下り無線リソースを用いて、下りデータを送信し、
前記無線基地局から送信された前記無線リソース割当チャネルは、前記移動局に対する前記下りデータについての前記ＨＡＲＱ制御の再送用の下り無線リソースを割り当てるものである場合に、前記特定条件を満たすと判断されることを特徴とする請求項５に記載の移動通信システム。
【請求項８】
前記無線基地局は、前記無線リソース割当チャネルによって、前記移動局に対する下り無線リソースとして、無線リソースを割当可能な最小の時間単位よりも長い間有効となる無線リソースを割り当て、該下り無線リソースを用いて、下りデータを送信し、
前記無線基地局から送信された前記無線リソース割当チャネルは、前記移動局に対する前記下りデータについての前記ＨＡＲＱ制御の再送用の下り無線リソースを割り当てるものである場合に、前記特定条件を満たすと判断されることを特徴とする請求項７に記載の移動通信システム。
【請求項９】
無線基地局から送信される信号に対して間欠受信を行っている移動局が、間欠受信タイミングにおいて該無線基地局から送信された無線リソース割当チャネルの中に該移動局に割り当てられている移動局識別子が含まれていることを検出した場合に、該無線基地局から送信される信号に対して連続受信を開始するように構成されている移動通信システムで用いられる移動局であって、
前記無線基地局から送信される信号に対して間欠受信を行っている場合であっても、前記間欠受信タイミングにおいて該無線基地局から送信された前記無線リソース割当チャネルが特定条件を満たす場合には、該無線基地局から送信される信号に対して連続受信を開始せずに、該無線基地局から送信される信号に対して間欠受信を継続するように構成されていることを特徴とする移動局。
【請求項１０】
前記無線基地局との間でＨＡＲＱ制御が行われており、
前記無線基地局から送信された前記無線リソース割当チャネルは、該無線基地局によって前記移動局に対して送信された下りデータについての前記ＨＡＲＱ制御の再送用の下り無線リソースを割り当てるものである場合に、前記特定条件を満たすと判断されることを特徴とする請求項９に記載の移動局。
【請求項１１】
無線基地局から送信される信号に対して連続受信を行っている移動局が、所定タイマが満了する前に、該無線基地局から送信された前記無線リソース割当チャネルの中に該移動局に割り当てられている前記移動局識別子が含まれていることを検出した場合には、該所定タイマを再起動し、該所定タイマが満了した場合には、該無線基地局から送信される信号に対して間欠受信を開始するように構成されている移動通信システムで用いられる移動局であって、
前記所定タイマが満了する前に、前記無線基地局から送信された前記無線リソース割当チャネルの中に該移動局に割り当てられている前記移動局識別子が含まれていることを検出した場合であっても、該無線基地局から送信された該無線リソース割当チャネルが特定条件を満たす場合には、該所定タイマを再起動しないように構成されていることを特徴とする移動局。
【請求項１２】
前記無線基地局との間でＨＡＲＱ制御を行うように構成されており、
前記無線基地局から送信された前記無線リソース割当チャネルは、該無線基地局によって前記移動局に対して送信された下りデータについての前記ＨＡＲＱ制御の再送用の下り無線リソースを割り当てるものである場合に、前記特定条件を満たすと判断されることを特徴とする請求項１１に記載の移動局。
【発明の詳細な説明】
【技術分野】
【０００１】
本発明は、移動通信システム及び移動局に関する。
【背景技術】
【０００２】
ＬＴＥ（Ｌｏｎｇ  Ｔｅｒｍ  Ｅｖｏｌｕｔｉｏｎ）において、無線基地局ｅＮＢと移動局ＵＥとの間で無線リンクを介した通信を行うことができる状態は、「ＲＲＣ_ＣＯＮＮＥＣＴＥＤ状態」と称される。
【０００３】
なお、「ＲＲＣ_ＣＯＮＮＥＣＴＥＤ状態」でない状態は、「ＲＲＣ_ＩＤＬＥ状態」と称され、かかる「ＲＲＣ_ＩＤＬＥ状態」の時には、無線基地局ｅＮＢが、移動局ＵＥの存在を意識していないため、無線基地局ｅＮＢと移動局ＵＥとの間で無線リンクを介した通信を行うことができない。
【０００４】
ＬＴＥでは、移動局ＵＥの電力消費を低減できるように、「ＲＲＣ_ＣＯＮＮＥＣＴＥＤ状態」の移動局ＵＥが、無線基地局ｅＮＢから送信される信号に対して間欠受信（ＤＲＸ）を行うことができるようになっている。
【０００５】
図１（ａ）乃至（ｃ）に、ＬＴＥで合意されている「ＲＲＣ_ＣＯＮＮＥＣＴＥＤ状態」におけるＤＲＸ制御について示す。
【０００６】
間欠受信は、「ＤＲＸ周期（ＤＲＸ  ｃｙｃｌｅ）」及び「Ｏｎ  ｄｕｒａｔｉｏｎ長（間欠受信タイミング長）」によって特徴付けられる。
【０００７】
移動局ＵＥは、「ＤＲＸ周期」内で一度「Ｏｎ  ｄｕｒａｔｉｏｎ（間欠受信タイミング）」の間だけ、無線基地局ｅＮＢから送信される信号を受信するように構成されている。
【０００８】
「Ｏｎ  ｄｕｒａｔｉｏｎ」以外の間は、無線基地局ｅＮＢからの信号が送信されないため、移動局ＵＥは、無線信号の受信処理に用いるプロセッサやＤＳＰやチップ等の電源をＯＦＦとし、電力消費を抑えることができる。
【０００９】
なお、「ＤＲＸ周期」及び「Ｏｎ  ｄｕｒａｔｉｏｎ長」は、無線基地局ｅＮＢから移動局ＵＥに通知されるように構成されている。
【００１０】
無線基地局ｅＮＢが「ＤＲＸ周期」及び「Ｏｎ  ｄｕｒａｔｉｏｎ長」を移動局ＵＥに通知するタイミングとしては、例えば、「ＲＲＣ_ＩＤＬＥ状態」から「ＲＲＣ_ＣＯＮＮＥＣＴＥＤ状態」に遷移するタイミングや、新規の無線ベアラ（ｒａｄｉｏ  ｂｅａｒｅｒ）が設定されるタイミングや、無線ベアラ（ｒａｄｉｏ  ｂｅａｒｅｒ）が開放されるタイミングや、ハンドオーバのタイミング等が考えられる。
【００１１】
また、図１（ｂ）に示すように、移動局ＵＥは、間欠受信を行っている際に、「Ｏｎ  ｄｕｒａｔｉｏｎ」において、無線基地局ｅＮＢから無線リソース割当チャネル（Ｌ１/Ｌ２  ｃｏｎｔｒｏｌ  ｃｈａｎｎｅｌ）による無線リソースの割当を検出した場合、無線基地局ｅＮＢから送信される信号に対して連続受信を開始する。
【００１２】
具体的には、間欠受信を行っている移動局ＵＥは、Ｌ１/Ｌ２  ｃｏｎｔｒｏｌ  ｃｈａｎｎｅｌを復号した結果、当該移動局ＵＥに対して割り当てられている移動局識別子を検出した場合に、無線基地局ｅＮＢから送信される信号に対して連続受信を開始する（図１（ｂ）におけるＴ１）。
【００１３】
一方、図１（ｃ）に示すように、移動局ＵＥは、連続受信を行っている際に、ある連続する一定期間（すなわち、インアクティビティタイマ（ｉｎａｃｔｉｖｅ  ｔｉｍｅｒ）１が満了するまでの期間）に、無線基地局ｅＮＢからのＬ１/Ｌ２  ｃｏｎｔｒｏｌ  ｃｈａｎｎｅｌによる無線リソースの割当を検出しなかった場合、無線基地局ｅＮＢから送信される信号に対して間欠受信を開始する（図１（ｃ）におけるＴ２）。
【００１４】
ＬＴＥでは、間欠受信におけるＤＲＸ周期として、少なくとも２種類のＤＲＸ周期を設定することが可能である。
【００１５】
ここで、移動局ＵＥは、さらに連続する一定期間（すなわち、インアクティビティタイマ２が満了するまでの期間）に、無線基地局ｅＮＢから、Ｌ１/Ｌ２  ｃｏｎｔｒｏｌ  ｃｈａｎｎｅｌによる無線リソースの割当を検出しない場合には、１段階目のＤＲＸ周期（ＤＲＸ  ｃｙｃｌｅ（ｓｈｏｒｔ））から、より長い２段階目のＤＲＸ周期（ＤＲＸ  ｃｙｃｌｅ（ｌｏｎｇ））へと、ＤＲＸ周期を変更するように構成されている（図１（ｃ）におけるＴ３）。
【００１６】
なお、「ＤＲＸ  ｃｙｃｌｅ（ｓｈｏｒｔ）」及び「ＤＲＸ  ｃｙｃｌｅ（ｌｏｎｇ）」は、無線基地局ｅＮＢから移動局ＵＥに通知される。
【００１７】
ここで、例えば、どちらかのＤＲＸ周期（「ＤＲＸ  ｃｙｃｌｅ（ｓｈｏｒｔ）」又は「ＤＲＸ  ｃｙｃｌｅ（ｌｏｎｇ）」）を無効に設定すれば、間欠受信におけるＤＲＸ周期を１段階のみに設定することができる。
【００１８】
また、インアクティビティタイマ１及び２によって管理される期間についても、無線基地局ｅＮＢから移動局ＵＥに通知される。
【００１９】
無線基地局ｅＮＢがインアクティビティタイマ１及び２によって管理される期間を移動局ＵＥに通知するタイミングとしては、例えば、「ＲＲＣ_ＩＤＬＥ状態」から「ＲＲＣ_ＣＯＮＮＥＣＴＥＤ状態」に遷移するタイミングや、新規の無線ベアラ（ｒａｄｉｏ  ｂｅａｒｅｒ）が設定されるタイミングや、無線ベアラ（ｒａｄｉｏ  ｂｅａｒｅｒ）が開放されるタイミングや、ハンドオーバのタイミング等が考えられる。
【００２０】
以下に、ＬＴＥの「ＲＲＣ_ＣＯＮＮＥＣＴＥＤ状態」におけるＤＲＸ制御に関するパラメータを列挙する。
【００２１】
１．ＤＲＸ  ｃｙｃｌｅ（ｓｈｏｒｔ）、ＤＲＸ  ｃｙｃｌｅ（ｌｏｎｇ）
２．Ｏｎ  ｄｕｒａｔｉｏｎ長
３．インアクティビティタイマ１及び２によって管理される期間
これらのパラメータの最適値は、無線基地局ｅＮＢと移動局ＵＥとの間で送受信するデータ（例えば、音声パケットやバーストトラヒックデータ等）を処理するアプリケーションの種類によって異なる。
【００２２】
例えば、図２に示すように、音声パケット用アプリケーションによって通信が行われている場合、少ないデータ量の音声パケットが一定間隔で発生する。
【００２３】
ここで、音声パケット用アプリケーションによって通信が行われている場合に、音声パケットが発生する間隔は、２０ｍｓであり、かかる音声パケットは、１サブフレーム（ｓｕｂｆｒａｍｅ、ＴＴＩとも称される）で送受信可能なデータ量であることが一般的である。
【００２４】
また、サブフレームとは、無線リソースが割当可能な時間の最小単位であり、ＬＴＥでは、１ｍｓである。
【００２５】
さらに、音声パケット用アプリケーションによって要求されるＱｏＳの性質上、音声パケットの伝送遅延について極力抑える必要があり、無線基地局ｅＮＢは、音声パケットが発生したら、直ぐに移動局ＵＥに向けて送信することが通例である。
【００２６】
このため、音声パケット用アプリケーションの場合は、ＤＲＸ制御に関するパラメータについて、例えば、以下のように設定することが最適と思われる。
【００２７】
１．ＤＲＸ  ｃｙｃｌｅ：２０ｍｓ（ｓｈｏｒｔのみ有効とする）
２．Ｏｎ  ｄｕｒａｔｉｏｎ長：１サブフレーム
３．インアクティビティタイマ１によって管理される期間：１サブフレーム
一方、図３に示すように、インターネットの閲覧やＦＴＰによるファイルの送受信等、バースト的にトラヒックデータ（パケット）が発生するバーストトラヒックデータ用アプリケーションも存在する。
【００２８】
かかるバーストトラヒックデータ用アプリケーションでは、トラヒックデータが発生する時は大量のトラヒックデータが発生するものの、トラヒックデータが全く発生しない時間も長いという特徴がある。
【００２９】
また、これらのバーストトラヒックデータ用アプリケーションによって要求されるパケットの伝送遅延は、そんなに厳しくないことが多いため、無線基地局ｅＮＢは、バーストトラヒックデータが発生しても、直ぐに移動局ＵＥに向けて送信する必要はなく、例えば、移動局ＵＥとの間の無線リンクの品質が良い時間を選んで送信することができる。
【００３０】
したがって、このようなバーストトラヒックデータ用アプリケーションの場合、無線基地局ｅＮＢにトラヒックデータが存在する時には、なるべく移動局ＵＥに連続受信を行わせることが望ましく、例えば、ＤＲＸ制御に関するパラメータを以下のように設定することが最適と思われる。
【００３１】
１．ＤＲＸ  ｃｙｃｌｅ：数百ｍｓ（ｓｈｏｒｔ）、秒オーダー（ｌｏｎｇ）
２．Ｏｎ  ｄｕｒａｔｉｏｎ長：数サブフレーム
３．インアクティビティタイマによって管理される期間：数百ｍｓ（１）、数秒〜数十秒
（２）
【先行技術文献】
【非特許文献】
【００３２】
【非特許文献１】３ＧＰＰ  ＴＳ３６．３００  Ｖ８．１．０  ２００７年６月
【発明の概要】
【発明が解決しようとする課題】
【００３３】
上述の例から分かるように、ＤＲＸ制御に関するパラメータの最適値は、無線基地局ｅＮＢと移動局ＵＥとの間で送受信するデータを処理するアプリケーションの種類によってかなり異なる。
【００３４】
したがって、ＬＴＥで合意されているＤＲＸ制御では、例えば、無線基地局ｅＮＢと移動局ＵＥとの間で、音声パケット用アプリケーション及びバーストトラヒックデータ用アプリケーションの両方のデータを同時に送受信する場合に、最適なＤＲＸ制御を行うことできないという問題点があった。
【００３５】
かかる場合、例えば、ＤＲＸ制御に関するパラメータを、音声パケット用アプリケーションに最適化した値に設定すると、バーストトラヒックデータが発生するその他のアプリケーションのデータを最適に扱えない。
【００３６】
具体的には、図４に示すように、音声パケット用アプリケーション用に最適化されたインアクティビティタイマによって管理される期間が短すぎるため、無線基地局ｅＮＢが、連続受信を行っている移動局ＵＥへのデータ送信を一瞬でも止めてしまうと、移動局ＵＥが間欠受信を開始してしまうため、バーストトラヒックデータを移動局ＵＥに向けて送信できるタイミングに柔軟性が無くなってしまい、最適な無線リソースの活用ができなくなる。
【００３７】
一方、インアクティビティタイマによって管理される期間をより長く設定してしまうと、音声パケットを伝送するために、Ｌ１/Ｌ２  ｃｏｎｔｒｏｌ  ｃｈａｎｎｅｌが用いられる度に、移動局ＵＥが、連続受信を行う状態に切り替わってしまい、間欠受信を行う状態（ＤＲＸ状態）に戻るタイミングが遅くなってしまうため、移動局ＵＥにおける電力消費が十分に低減できないことになる。
【００３８】
また、ＬＴＥでは、音声パケットを効率よく伝送するために、「ｐｅｒｓｉｓｔｅｎｔ  ｓｃｈｅｄｕｌｉｎｇ（パーシステント・スケジューリング、固定的割り当てスケジューリング）」若しくは「ｓｅｍｉ-ｐｅｒｓｉｓｔｅｎｔ  ｓｃｈｅｄｕｌｉｎｇ（セミ・パーシステント・スケジューリング）」と称される無線リソースの割当方法をサポートすることが決まっている。
【００３９】
これに対して、ＬＴＥで通常適用される無線リソースの割当方法は「ｄｙｎａｍｉｃ  ｓｃｈｅｄｕｌｉｎｇ（ダイナミック・スケジューリング、動的割り当てスケジューリング）と称される。
【００４０】
ｄｙｎａｍｉｃ  ｓｃｈｅｄｕｌｉｎｇを用いて、移動局ＵＥに対して、下りリンクの無線リソースを割り当てる場合、無線基地局ｅＮＢは、無線基地局ｅＮＢ及び移動局ＵＥの物理レイヤ及びＭＡＣレイヤにて終端される無線リソース割当チャネル（Ｌ１/Ｌ２  ｃｏｎｔｒｏｌ  ｃｈａｎｎｅｌ）を、移動局ＵＥに対して送信し、移動局ＵＥは、当該Ｌ１/Ｌ２  ｃｏｎｔｒｏｌ  ｃｈａｎｎｅｌを受信することによって、無線リソースが当該移動局ＵＥに対して割り当てられていることを認識し、受信したＬ１/Ｌ２  ｃｏｎｔｒｏｌ  ｃｈａｎｎｅｌに含まれている情報に従って、当該移動局ＵＥに対して割り当てられている無線リソースを用いて送信されているデータを復号する。
【００４１】
具体的に、移動局ＵＥは、間欠受信を行っている際には、Ｏｎ  ｄｕｒａｔｉｏｎ中に、Ｌ１/Ｌ２  ｃｏｎｔｒｏｌ  ｃｈａｎｎｅｌに対する復号処理を試みるように構成されており、連続受信を行っている際には、サブフレーム毎に、Ｌ１/Ｌ２  ｃｏｎｔｒｏｌ  ｃｈａｎｎｅｌに対する復号処理を試みるように構成されている。
【００４２】
ｄｙｎａｍｉｃ  ｓｃｈｅｄｕｌｉｎｇによる下り無線リソースの割り当てを通知するためのＬ１/Ｌ２  ｃｏｎｔｒｏｌ  ｃｈａｎｎｅｌには、データブロックサイズ（ＴＢ  ｓｉｚｅ）や、変調方式（ｍｏｄｕｌａｔｉｏｎ）や、割り当て物理リソース（ＰＲＢ）や、ＨＡＲＱ関連情報等の情報が含まれており、これらの情報を基にして、ＣＲＣビット系列が計算される。
【００４３】
計算されたＣＲＣビット系列は、無線リソースを割り当てる移動局ＵＥに対して、事前に割り当てられている当該移動局ＵＥに固有な移動局識別子によって、更に所定演算（ｍａｓｋｉｎｇ）が行われてから、Ｌ１/Ｌ２  ｃｏｎｔｒｏｌ  ｃｈａｎｎｅｌの情報ビット系列に対して付与される。
【００４４】
そして、ＣＲＣビット系列を含むＬ１/Ｌ２  ｃｏｎｔｒｏｌ  ｃｈａｎｎｅｌの情報ビット系列は、誤り訂正符号化処理が行われてから、無線信号として移動局ＵＥに送信される。
【００４５】
移動局ＵＥは、Ｌ１/Ｌ２  ｃｏｎｔｒｏｌ  ｃｈａｎｎｅｌが送信される物理リソースを受信し、誤り訂正復号化処理を行ってから、無線基地局ｅＮＢから事前に割り当てられている移動局識別子を用いて、ＣＲＣビット系列に対して所定演算を行う（ｍａｓｋｉｎｇを解く）。
【００４６】
そして、移動局ＵＥは、所定演算後のＣＲＣビット系列を用いたＣＲＣ判定結果に基づいて、Ｌ１/Ｌ２  ｃｏｎｔｒｏｌ  ｃｈａｎｎｅｌを正しく復号できたか否かについて判断する。
【００４７】
ここで、他の移動局ＵＥに向けて無線基地局ｅＮＢから送信されるＬ１/Ｌ２  ｃｏｎｔｒｏｌ  ｃｈａｎｎｅｌが送信されている場合、移動局ＵＥによって誤り訂正復号後に行われるＣＲＣビット系列に対する所定演算（ｍａｓｋｉｎｇの解除）に用いられる移動局識別子と、無線基地局ｅＮＢによって誤り訂正符号化前に行われるＣＲＣビット系列に対する所定演算（ｍａｓｋｉｎｇ）に用いられる移動局識別子とが異なるため、移動局ＵＥは、ｍａｓｋｉｎｇ解除後のＣＲＣビット系列を用いたＣＲＣ判定結果に基づいて、当該Ｌ１/Ｌ２  ｃｏｎｔｒｏｌ  ｃｈａｎｎｅｌを正しく復号することができなかったと判断することができる。
【００４８】
よって、移動局ＵＥは、かかるＣＲＣ判定結果により、下り無線リソース割当を通知するＬ１/Ｌ２  ｃｏｎｔｒｏｌ  ｃｈａｎｎｅｌを正しく復号することができたと判断した場合、同時に、当該移動局ＵＥに対して下り無線リソースが割り当てられたことを検出することになる。
【００４９】
ｄｙｎａｍｉｃ  ｓｃｈｅｄｕｌｉｎｇによって割り当てられる下り無線リソースは、１サブフレーム内でのみ有効であり、異なるサブフレームにおいて、特定の移動局ＵＥに対して、下り無線リソースを割り当てるには、図５に示すように、その都度、下り無線リソース割り当て用のＬ１/Ｌ２  ｃｏｎｔｒｏｌ  ｃｈａｎｎｅｌを、移動局ＵＥに対して送信する必要がある。
【００５０】
つまり、ｄｙｎａｍｉｃ  ｓｃｈｅｄｕｌｉｎｇを用いると、サブフレーム毎に割り当てる下り無線リソースを変更することができるので、時々刻々と変動する無線リンクの品質及びデータ量に従って最適な無線リソースの割り当てを行うことができる。
【００５１】
その半面、Ｌ１/Ｌ２  ｃｏｎｔｒｏｌ  ｃｈａｎｎｅｌ自体、下り無線リソースを消費してしまうため、音声パケット用アプリケーションのように、定期的に一定の少ないデータ量のパケットが発生するアプリケーションに対して、ｄｙｎａｍｉｃ  ｓｃｈｅｄｕｌｉｎｇを適用すると、下り無線リソースのオーバヘッドが大きくなってしまうという問題点がある。
【００５２】
そこで、ＬＴＥでは、このような音声パケット用アプリケーションを効率よくサポートするため、先に述べたｐｅｒｓｉｓｔｅｎｔ  ｓｃｈｅｄｕｌｉｎｇによる無線リソースの割当方法が検討され、サポートされることになった。
【００５３】
ｐｅｒｓｉｓｔｅｎｔ  ｓｃｈｅｄｕｌｉｎｇを用いて、移動局ＵＥに対して、下りリンクの無線リソースを割り当てる場合、無線基地局ｅＮＢは、無線基地局ｅＮＢ及び移動局ＵＥの物理レイヤ及びＭＡＣレイヤにて終端される無線リソース割当チャネル（Ｌ１/Ｌ２  ｃｏｎｔｒｏｌ  ｃｈａｎｎｅｌ）若しくは無線基地局ｅＮＢと移動局ＵＥのＲＲＣレイヤにて終端されるＲＲＣメッセージによって、移動局ＵＥに対して、データブロックサイズ（ＴＢ  ｓｉｚｅ）や、変調方式（ｍｏｄｕｌａｔｉｏｎ）や、割り当て無線リソース（ＰＲＢ）や、ＨＡＲＱ関連情報等の情報を通知する。
【００５４】
ここで、通知されるこれらの情報の値は、１つに限定されるものではなく、場合によっては、複数の候補値が通知されていてもよい。
【００５５】
移動局ＵＥは、これらの情報に従って、所定のサブフレームにおいて、Ｌ１/Ｌ２  ｃｏｎｔｒｏｌ  ｃｈａｎｎｅｌによる無線リソースの割当がなくても、下り無線リソースの復号を実施するように構成されている。
【００５６】
図６に示すように、ｐｅｒｓｉｓｔｅｎｔ  ｓｃｈｅｄｕｌｉｎｇによる無線リソースの割当は、新たなｐｅｒｓｉｓｔｅｎｔ  ｓｃｈｅｄｕｌｉｎｇ  ｃｏｍａｎｄ、若しくは、ｐｅｒｓｉｓｔｅｎｔ  ｓｃｈｅｄｕｌｉｎｇを停止する指令（ｃｏｍｍａｎｄ）が発生するまで有効である。
【００５７】
ここで、無線基地局ｅＮＢから移動局ＵＥに対して、Ｌ１/Ｌ２  ｃｏｎｔｒｏｌ  ｃｈａｎｎｅｌを用いて、ｐｅｒｓｉｓｔｅｎｔ  ｓｃｈｅｄｕｌｉｎｇによる下り無線リソースを通知する場合、移動局ＵＥは、かかるｐｅｒｓｉｓｔｅｎｔ  ｓｃｈｅｄｕｌｉｎｇによる下り無線リソースの通知に用いられるＬ１/Ｌ２  ｃｏｎｔｒｏｌ  ｃｈａｎｎｅｌと、ｄｙｎａｍｉｃ  ｓｃｈｅｄｕｌｉｎｇによる下り無線リソースの通知に用いられるＬ１/Ｌ２  ｃｏｎｔｒｏｌ  ｃｈａｎｎｅｌとを識別する必要がある。
【００５８】
また、ＬＴＥでは、ｐｅｒｓｉｓｔｅｎｔ  ｓｃｈｅｄｕｌｉｎｇによる下り無線リソースの割当を適用している場合においても、ＨＡＲＱ制御の再送については、その都度、Ｌ１/Ｌ２  ｃｏｎｔｒｏｌ  ｃｈａｎｎｅｌによって、ＨＡＲＱ制御の再送に用いられる下り無線リソースを通知することが決まっている。
【００５９】
かかる場合、やはり、移動局ＵＥは、ｐｅｒｓｉｓｔｅｎｔ  ｓｃｈｅｄｕｌｉｎｇにおけるＨＡＲＱ制御の再送用に用いられる下り無線リソースを通知するＬ１/Ｌ２  ｃｏｎｔｒｏｌ  ｃｈａｎｎｅｌと、ｄｙｎａｍｉｃ  ｓｃｈｅｄｕｌｉｎｇによる下り無線リソースの通知に用いられるＬ１/Ｌ２  ｃｏｎｔｒｏｌ  ｃｈａｎｎｅｌとを識別する必要がある。
【００６０】
上述したように、既存のＬＴＥでは、音声パケット用アプリケーション及びバーストトラヒックデータ用アプリケーションの両方のデータを無線基地局ｅＮＢと移動局ＵＥとの間で送受信している場合に、「ＲＲＣ_ＣＯＮＮＥＣＴＥＤ状態」におけるＤＲＸ制御に関するパラメータの最適化が難しいという問題点があった。
【００６１】
そこで、本発明は、上述の課題に鑑みてなされたものであり、「ＲＲＣ_ＣＯＮＮＥＣＴＥＤ状態」におけるＤＲＸ制御において、音声パケット用アプリケーション及びバーストトラヒックデータ用アプリケーションの両方のデータを無線基地局ｅＮＢと移動局ＵＥとの間で送受信している場合であっても、ＤＲＸ制御に関するパラメータの最適化を図ることができ、移動局ＵＥにおける電力消費を最大限低減しつつ、バーストトラヒックデータに対するスケジューラの柔軟性を保ち、無線リソースの有効利用を行うことができる移動通信システム及び移動局を提供することを目的とする。
【課題を解決するための手段】
【００６２】
本発明の第１の特徴は、無線基地局から送信される信号に対して間欠受信を行っている移動局が、間欠受信タイミングにおいて該無線基地局から送信された無線リソース割当チャネルの中に該移動局に割り当てられている移動局識別子が含まれていることを検出した場合に、該無線基地局から送信される信号に対して連続受信を開始するように構成されている移動通信システムであって、前記間欠受信タイミングにおいて該無線基地局から送信された前記無線リソース割当チャネルが、特定条件を満たす場合には、前記移動局は、前記無線基地局から送信される信号に対して間欠受信を行っている場合であっても、該無線基地局から送信される信号に対して連続受信を開始せずに、該無線基地局から送信される信号に対して間欠受信を継続するように構成されていることを要旨とする。
【００６３】
本発明の第２の特徴は、無線基地局から送信される信号に対して連続受信を行っている移動局が、所定タイマが満了する前に、該無線基地局から送信された前記無線リソース割当チャネルの中に該移動局に割り当てられている前記移動局識別子が含まれていることを検出した場合には、該所定タイマを再起動し、該所定タイマが満了した場合には、該無線基地局から送信される信号に対して間欠受信を開始するように構成されている移動通信システムであって、該無線基地局から送信された該無線リソース割当チャネルが、特定条件を満たす場合には、前記移動局は、前記所定タイマが満了する前に、前記無線基地局から送信された前記無線リソース割当チャネルの中に該移動局に割り当てられている前記移動局識別子が含まれていることを検出した場合であっても、該所定タイマを再起動しないように構成されていることを要旨とする。
【００６４】
本発明の第３の特徴は、無線基地局から送信される信号に対して間欠受信を行っている移動局が、間欠受信タイミングにおいて該無線基地局から送信された無線リソース割当チャネルの中に該移動局に割り当てられている移動局識別子が含まれていることを検出した場合に、該無線基地局から送信される信号に対して連続受信を開始するように構成されている移動通信システムで用いられる移動局であって、前記間欠受信タイミングにおいて該無線基地局から送信された前記無線リソース割当チャネルが、特定条件を満たす場合には、前記無線基地局から送信される信号に対して間欠受信を行っている場合であっても、該無線基地局から送信される信号に対して連続受信を開始せずに、該無線基地局から送信される信号に対して間欠受信を継続するように構成されていることを要旨とする。
【００６５】
本発明の第４の特徴は、無線基地局から送信される信号に対して連続受信を行っている移動局が、所定タイマが満了する前に、該無線基地局から送信された前記無線リソース割当チャネルの中に該移動局に割り当てられている前記移動局識別子が含まれていることを検出した場合には、該所定タイマを再起動し、該所定タイマが満了した場合には、該無線基地局から送信される信号に対して間欠受信を開始するように構成されている移動通信システムで用いられる移動局であって、該無線基地局から送信された該無線リソース割当チャネルが特定条件を満たす場合には、前記所定タイマが満了する前に、前記無線基地局から送信された前記無線リソース割当チャネルの中に該移動局に割り当てられている前記移動局識別子が含まれていることを検出した場合であっても、該所定タイマを再起動しないように構成されていることを要旨とする。
【発明の効果】
【００６６】
以上説明したように、本発明によれば、「ＲＲＣ_ＣＯＮＮＥＣＴＥＤ状態」におけるＤＲＸ制御において、音声パケット用アプリケーション及びバーストトラヒックデータ用アプリケーションの両方のデータを無線基地局ｅＮＢと移動局ＵＥとの間で送受信している場合であっても、ＤＲＸ制御に関するパラメータの最適化を図ることができ、移動局ＵＥにおける電力消費を最大限低減しつつ、バーストトラヒックデータに対するスケジューラの柔軟性を保ち、無線リソースの有効利用を行うことができる移動通信システム及び移動局を提供することができる。
【図面の簡単な説明】
【００６７】
【図１】図１は、従来の移動通信システムについて説明するための図である。
【図２】図２は、従来の移動通信システムについて説明するための図である。
【図３】図３は、従来の移動通信システムについて説明するための図である。
【図４】図４は、従来の移動通信システムについて説明するための図である。
【図５】図５は、従来の移動通信システムについて説明するための図である。
【図６】図６は、従来の移動通信システムについて説明するための図である。
【図７】図７は、本発明の第１の実施形態に係る移動通信システムの全体構成図である。
【図８】図８は、本発明の第１の実施形態に係る移動通信システムにおけるプロトコルスタックを示す図である。
【図９】図９は、本発明の第１の実施形態に係る移動局によって設定される無線ベアラ及び論理チャネルを説明するための図である。
【図１０】図１０は、本発明の第１の実施形態に係る移動通信システムの効果を説明するための図である。
【発明を実施するための形態】
【００６８】
（本発明の第１の実施形態に係る移動通信システム）
図７乃至図１０を参照して、本発明の第１の実施形態に係る移動通信システムについて説明する。本実施形態では、移動通信システムとして、ＬＴＥ方式の移動通信システムを例として説明するが、本発明は、ＬＴＥ方式の移動通信システム以外の移動通信システムにも適用可能である。
【００６９】
本実施形態に係る移動通信システムでは、図７に示すように、無線基地局ｅＮＢが、サービスを提供するエリアに在圏している移動局ＵＥに対して、移動局固有の移動局識別子ｘｘｘを既に割り当てており、無線基地局ｅＮＢと移動局ＵＥとの間では、いつでも無線リンクを介した通信を行うことができる状態（「ＲＲＣ_ＣＯＮＮＥＣＴＥＤ状態」）である。
【００７０】
また、図８に示すように、無線基地局ｅＮＢと移動局ＵＥとの間では、物理（ＰＨＹ）レイヤとＭＡＣサブレイヤとＲＬＣサブレイヤとＰＤＣＰサブレイヤとからなるデータ伝送用（Ｕ-ｐｌａｎｅ）の無線通信のプロトコルスタックを擁してお互いに通信を行う。
【００７１】
さらに、図９に示すように、本実施形態に係る移動通信システムでは、移動局毎に、複数の無線ベアラ（Ｒａｄｉｏ  Ｂｅａｒｅｒ）及び論理チャネル（Ｌｏｇｉｎａｌ  Ｃｈａｎｎｅｌ）が設定可能であり、音声パケット用アプリケーションがマッピングされる無線ベアラ及び/論理チャネルと、バーストトラヒックデータ用アプリケーションがマッピングされる無線ベアラ及び/論理チャネルとが設定されている。
【００７２】
本実施形態に係る移動通信システムでは、図１０に示すように、バーストトラヒックデータは、ｄｙｎａｍｉｃ  ｓｃｈｅｄｕｌｉｎｇによって割り当てられた無線リソースによって、無線基地局ｅＮＢから移動局ＵＥに送信されるように構成されている。
【００７３】
すなわち、無線基地局ｅＮＢは、バーストトラヒックデータを送信する際は、その都度
、移動局ＵＥに対して、ｄｙｎａｍｉｃ  ｓｃｈｅｄｕｌｉｎｇ用の下り無線リソース割当に使うＬ１/Ｌ２  ｃｏｎｔｒｏｌ  ｃｈａｎｎｅｌ（Ｌ１/Ｌ２  ｃｏｎｔｒｏｌ  ｃｈａｎｎｅｌ  -  ｄｙｎａｍｉｃと呼ぶ）を送信するように構成されている。
【００７４】
一方、本実施形態に係る移動通信システムでは、図１０に示すように、音声パケット（音声トラヒック）は、ｐｅｒｓｉｓｔｅｎｔ  ｓｃｈｅｄｕｌｉｎｇによって割り当てられた無線リソースによって、無線基地局ｅＮＢから移動局ＵＥに送信されるように構成されている。
【００７５】
すなわち、無線基地局ｅＮＢは、音声パケットを送信する際、必要に応じて、移動局ＵＥに対して、ｐｅｒｓｉｓｔｅｎｔ  ｓｃｈｅｄｕｌｉｎｇ用の下り無線リソース割当に使うＬ１/Ｌ２  ｃｏｎｔｒｏｌ  ｃｈａｎｎｅｌを送信するように構成されている。
【００７６】
ここで、ｐｅｒｓｉｓｔｅｎｔ  ｓｃｈｅｄｕｌｉｎｇ用の下り無線リソース割当に使うＬ１/Ｌ２  ｃｏｎｔｒｏｌ  ｃｈａｎｎｅｌには、以下の２種類のＬ１/Ｌ２  ｃｏｎｔｒｏｌ  ｃｈａｎｎｅｌが想定される。
【００７７】
１つ目のＬ１/Ｌ２  ｃｏｎｔｒｏｌ  ｃｈａｎｎｅｌは、特定の移動局ＵＥに対するＨＡＲＱ制御の初回送信用の下り無線リソースとして、無線リソースを割当可能な最小の時間単位（１ＴＴＩ又は１サブフレーム）より長い間有効である無線リソースを割り当てるＬ１/Ｌ２  ｃｏｎｔｒｏｌ  ｃｈａｎｎｅｌ（Ｌ１/Ｌ２  ｃｏｎｔｒｏｌ  ｃｈａｎｎｅｌ  -  ｐｅｒｓｉｓｔｅｎｔ  ｉｎｉｔｉａｌ  ＨＡＲＱ  ｔｒａｎｓｍｉｓｓｉｏｎと呼ぶ）である。
【００７８】
２つ目のＬ１/Ｌ２  ｃｏｎｔｒｏｌ  ｃｈａｎｎｅｌは、特定の移動局ＵＥに対して割り当てられた無線リソースを割り当て可能な最小の時間単位（１ＴＴＩ又は１サブフレーム）より長い間有効である無線リソースを用いて送信された下りデータについてのＨＡＲＱ制御の再送用の下り無線リソースを割り当てるＬ１/Ｌ２  ｃｏｎｔｒｏｌ  ｃｈａｎｎｅｌ（Ｌ１/Ｌ２  ｃｏｎｔｒｏｌ  ｃｈａｎｎｅｌ  -  ｐｅｒｓｉｓｔｅｎｔ  ＨＡＲＱ  ｒｅｔｒａｎｓｍｉｓｓｉｏｎと呼ぶ）である。
【００７９】
以上説明したように、本実施形態に係る移動通信システムでは、無線基地局ｅＮＢから送信される信号に対して間欠受信を行っている移動局（ＤＲＸ状態の移動局）ＵＥが、間欠受信タイミング（例えば、Ｏｎ  ｄｕｒａｔｉｏｎ）において当該無線基地局ｅＮＢから送信された無線リソース割当チャネル（Ｌ１/Ｌ２  ｃｏｎｔｒｏｌ  ｃｈａｎｎｅｌ）の中に当該移動局ＵＥに割り当てられている移動局識別子ｘｘｘが含まれていることを検出した場合に、当該無線基地局ｅＮＢから送信される信号に対して連続受信を開始するように構成されている。
【００８０】
しかしながら、移動局ＵＥは、無線基地局ｅＮＢから送信される信号に対して間欠受信を行っている場合であっても、間欠受信タイミング（例えば、Ｏｎ  ｄｕｒａｔｉｏｎ）において当該無線基地局ｅＮＢから送信された無線リソース割当チャネル（Ｌ１/Ｌ２  ｃｏｎｔｒｏｌ  ｃｈａｎｎｅｌ）が特定条件を満たす場合には、当該無線基地局ｅＮＢから送信される信号に対して連続受信を開始せずに、当該無線基地局ｅＮＢから送信される信号に対して間欠受信を継続するように構成されている。
【００８１】
また、本実施形態に係る移動通信システムでは、無線基地局ｅＮＢから送信される信号に対して連続受信を行っている移動局ＵＥが、インアクティビティタイマが満了する前に、当該無線基地局ｅＮＢから送信された無線リソース割当チャネル（Ｌ１/Ｌ２  ｃｏｎｔｒｏｌ  ｃｈａｎｎｅｌ）の中に当該移動局ＵＥに割り当てられている移動局識別子ｘｘｘが含まれていることを検出した場合には、インアクティビティタイマを再起動し、インアクティビティタイマが満了した場合には、当該無線基地局ｅＮＢから送信される信号に対して間欠受信を開始するように構成されている。
【００８２】
ここで、インアクティブタイマ（所定タイマ）は、上述の無線基地局ｅＮＢから送信された無線リソース割当チャネル（Ｌ１/Ｌ２  ｃｏｎｔｒｏｌ  ｃｈａｎｎｅｌ）の中に、上述の移動局ＵＥに割り当てられている移動局識別子ｘｘｘが含まれていることを検出できなかった場合に起動するように構成されていてもよい。
【００８３】
しかしながら、移動局ＵＥは、インアクティビティタイマが満了する前に、無線基地局ｅＮＢから送信された無線リソース割当チャネル（Ｌ１/Ｌ２  ｃｏｎｔｒｏｌ  ｃｈａｎｎｅｌ）の中に当該移動局ＵＥに割り当てられている移動局識別子ｘｘｘが含まれていることを検出した場合であっても、当該無線基地局ｅＮＢから送信された該無線リソース割当チャネル（Ｌ１/Ｌ２  ｃｏｎｔｒｏｌ  ｃｈａｎｎｅｌ）が特定条件を満たす場合には、インアクティビティタイマを停止及び再起動しないように構成されている。
【００８４】
ここで、無線基地局ｅＮＢから送信された無線リソース割当チャネル（Ｌ１/Ｌ２  ｃｏｎｔｒｏｌ  ｃｈａｎｎｅｌ）によって、移動局ＵＥに対する下り無線リソースとして、無線リソースを割当可能な最小の時間単位（１ＴＴＩ或いは１サブフレーム）よりも長い間有効となる無線リソースが割り当てられている場合に、すなわち、かかる無線リソース割当チャネル（Ｌ１/Ｌ２  ｃｏｎｔｒｏｌ  ｃｈａｎｎｅｌ）が、ｐｅｒｓｉｓｔｅｎｔ  ｓｃｈｅｄｕｌｉｎｇ用の下り無線リソース割当に使うＬ１/Ｌ２  ｃｏｎｔｒｏｌ  ｃｈａｎｎｅｌである場合に、上述の特定条件が満たされるものとする。
【００８５】
なお、本実施形態に係る移動通信システムでは、無線基地局ｅＮＢと移動局ＵＥとの間でＨＡＲＱ制御が行われているため、具体的には、特定条件が満たされる例として、以下の２つのケースが想定される。
【００８６】
第１に、無線基地局ｅＮＢから送信された無線リソース割当チャネル（Ｌ１/Ｌ２  ｃｏｎｔｒｏｌ  ｃｈａｎｎｅｌ）が、移動局ＵＥに対するＨＡＲＱ制御の初回送信用の下り無線リソースとして、無線リソースを割当可能な最小の時間単位（１ＴＴＩ或いは１サブフレーム）よりも長い間有効となる無線リソースを割り当てるチャネルである場合に、すなわち、「Ｌ１/Ｌ２  ｃｏｎｔｒｏｌ  ｃｈａｎｎｅｌ  -  ｐｅｒｓｉｓｔｅｎｔ  ｉｎｉｔｉａｌ  ＨＡＲＱ  ｔｒａｎｓｍｉｓｓｉｏｎ」である場合に、上述の特定条件を満たすと判断されるものとする。
【００８７】
第２に、無線基地局ｅＮＢから送信された無線リソース割当チャネル（Ｌ１/Ｌ２  ｃｏｎｔｒｏｌ  ｃｈａｎｎｅｌ）が、「Ｌ１/Ｌ２  ｃｏｎｔｒｏｌ  ｃｈａｎｎｅｌ  -  ｐｅｒｓｉｓｔｅｎｔ  ＨＡＲＱ  ｒｅｔｒａｎｓｍｉｓｓｉｏｎ」である場合に、上述の特定条件を満たすと判断されるものとする。
【００８８】
以下、「Ｌ１/Ｌ２  ｃｏｎｔｒｏｌ  ｃｈａｎｎｅｌ  -  ｐｅｒｓｉｓｔｅｎｔ  ＨＡＲＱ  ｒｅｔｒａｎｓｍｉｓｓｉｏｎ」について説明する。
【００８９】
先ず、移動局ＵＥとの間でＨＡＲＱ制御を行っている無線基地局ｅＮＢは、無線リソース割当チャネル（「Ｌ１/Ｌ２  ｃｏｎｔｒｏｌ  ｃｈａｎｎｅｌ  -  ｐｅｒｓｉｓｔｅｎｔ  ｉｎｉｔｉａｌ  ＨＡＲＱ  ｔｒａｎｓｍｉｓｓｉｏｎ」）によって、移動局ＵＥに対する下り無線リソースとして、無線リソースを割当可能な最小の時間単位（１ＴＴＩ或いは１サブフレーム）よりも長い間有効となる無線リソースを割り当て、かかる下り無線リソースを用いて、下りデータを送信する。
【００９０】
次に、かかる無線基地局ｅＮＢは、無線リソース割当チャネル（「Ｌ１/Ｌ２  ｃｏｎｔｒｏｌ  ｃｈａｎｎｅｌ  -  ｐｅｒｓｉｓｔｅｎｔ  ＨＡＲＱ  ｒｅｔｒａｎｓｍｉｓｓｉｏｎ」）によって、移動局ＵＥに対して割り当てられた無線リソースを割り当て可能な最小の時間単位（１ＴＴＩ又は１サブフレーム）より長い間有効である無線リソースを用いて送信された下りデータについてのＨＡＲＱ制御の再送用の下り無線リソースを割り当て、かかる下り無線リソースを用いて、当該下りデータを再送する。
【００９１】
具体的には、本実施形態に係る移動通信システムでは、ｐｅｒｓｉｓｔｅｎｔ  ｓｃｈｅｄｕｌｉｎｇによって割り当てられる無線リソースによって音声パケットを送受信することで、間欠受信タイミング（例えば、Ｏｎ  ｄｕｒａｔｉｏｎ）において音声パケットを（も含めて）送受信しても、移動局ＵＥは、無線基地局ｅＮＢから送信される信号（音声パケット）に対する連続受信を開始しない。
【００９２】
また、本実施形態に係る移動通信システムでは、連続受信タイミングにおいて、音声パケットを（も含めて）送受信しても、インアクティビティタイマは、停止・再起動しないため、インアクティビティタイマをバーストトラヒックデータの送受信用に最適化した比較的長い値に設定することが可能となる。
【００９３】
なお、移動局ＵＥにおいて、上述のＬ１/Ｌ２  ｃｏｎｔｒｏｌ  ｃｈａｎｎｅｌを識別するために、例えば、かかるＬ１/Ｌ２  ｃｏｎｔｒｏｌ  ｃｈａｎｎｅｌには、情報要素として、ｐｅｒｓｉｓｔｅｎｔ  ｓｃｈｅｄｕｌｉｎｇ用であるのか、或いは、ｄｙｎａｍｉｃ  ｓｃｈｅｄｕｌｉｎｇ用であるのかについて示すビットが設定されていてもよい。
【００９４】
また、移動局ＵＥにおいて、上述のＬ１/Ｌ２  ｃｏｎｔｒｏｌ  ｃｈａｎｎｅｌを識別するために、かかるＬ１/Ｌ２  ｃｏｎｔｒｏｌ  ｃｈａｎｎｅｌの情報要素（例えば、ＴＢ  ｓｉｚｅやＨＡＲＱ関連情報等）が、所定値に設定されていれば、ｐｅｒｓｉｓｔｅｎｔ  ｓｃｈｅｄｕｌｉｎｇ用であることを示し、それ以外の場合は、ｄｙｎａｍｉｃ  ｓｃｈｅｄｕｌｉｎｇ用であることを示すように構成されていてもよい。
【００９５】
また、移動局ＵＥにおいて、上述のＬ１/Ｌ２  ｃｏｎｔｒｏｌ  ｃｈａｎｎｅｌを識別するために、かかるＬ１/Ｌ２  ｃｏｎｔｒｏｌ  ｃｈａｎｎｅｌの送信に用いられる物理リソースを変更するように構成されていてもよい。
【００９６】
さらに、移動局ＵＥにおいて、上述のＬ１/Ｌ２  ｃｏｎｔｒｏｌ  ｃｈａｎｎｅｌを識別するために、かかるＬ１/Ｌ２  ｃｏｎｔｒｏｌ  ｃｈａｎｎｅｌに含まれる情報データ量を変更するように構成されていてもよい。
【００９７】
以上の点から、本実施形態に係る移動通信システムによれば、図１０に示すように、ＤＲＸ周期を音声パケットの送受信用に最適化することで、音声パケットしか発生していない状況では、移動局ＵＥの電力消費を最大限に低減することができる。
【００９８】
また、本実施形態に係る移動通信システムによれば、バーストトラヒックデータが発生した際には、Ｌ１/Ｌ２  ｃｏｎｔｒｏｌ  ｃｈａｎｎｅｌを用いて、ｄｙｎａｍｉｃ  ｓｃｈｅｄｕｌｉｎｇによる無線リソース割当を行うことによって、移動局ＵＥが、連続受信を開始し、インアクティビティタイマを、バーストトラヒックデータを意識して、十分な長さに設定することができるため、バーストトラヒックデータの発生が落ち着くまでは、スケジューラの柔軟性も最大限に確保することが可能となり、無線リソースの利用効率も向上させることが可能となる。
【００９９】
以上に述べた本実施形態の特徴は、以下のように表現されていてもよい。
【０１００】
本実施形態の第１の特徴は、無線基地局ｅＮＢから送信される信号に対して間欠受信を行っている移動局ＵＥが、間欠受信タイミングにおいて無線基地局ｅＮＢから送信された無線リソース割当チャネル（Ｌ１/Ｌ２  ｃｏｎｔｒｏｌ  ｃｈａｎｎｅｌ）の中に移動局ＵＥに割り当てられている移動局識別子ｘｘｘが含まれていることを検出した場合に、無線基地局ｅＮＢから送信される信号に対して連続受信を開始するように構成されている移動通信システムであって、間欠受信タイミング（例えば、Ｏｎ  ｄｕｒａｔｉｏｎ）において無線基地局ｅＮＢから送信された無線リソース割当チャネル（Ｌ１/Ｌ２  ｃｏｎｔｒｏｌ  ｃｈａｎｎｅｌ）が、特定条件を満たす場合には、移動局ＵＥは、無線基地局ｅＮＢから送信される信号に対して間欠受信を行っている場合であっても、無線基地局ｅＮＢから送信される信号に対して連続受信を開始せずに、無線基地局ｅＮＢから送信される信号に対して間欠受信を継続するように構成されていることを要旨とする。
【０１０１】
本実施形態の第１の特徴において、間欠受信タイミング（例えば、Ｏｎ  ｄｕｒａｔｉｏｎ）において無線基地局ｅＮＢから送信された無線リソース割当チャネル（Ｌ１/Ｌ２  ｃｏｎｔｒｏｌ  ｃｈａｎｎｅｌ）は、移動局ＵＥに対する下り無線リソースとして、無線リソースを割当可能な最小の時間単位（１サブフレーム）よりも長い間有効となる無線リソースを割り当てるものである場合に、特定条件を満たすと判断されてもよい。
【０１０２】
本実施形態の第１の特徴において、無線基地局ｅＮＢと移動局ＵＥとの間でＨＡＲＱ制御が行われており、無線基地局ｅＮＢは、無線リソース割当チャネル（Ｌ１/Ｌ２  ｃｏｎｔｒｏｌ  ｃｈａｎｎｅｌ）によって、移動局ＵＥに対する下り無線リソースを割り当て、下り無線リソースを用いて、下りデータを送信し、無線基地局ｅＮＢから送信された無線リソース割当チャネル（Ｌ１/Ｌ２  ｃｏｎｔｒｏｌ  ｃｈａｎｎｅｌ）は、移動局UEに対する該下りデータについてのＨＡＲＱ制御の再送用の下り無線リソースを割り当てるものである場合に、特定条件を満たすと判断されてもよい。
【０１０３】
本実施形態の第１の特徴において、無線基地局ｅＮＢは、無線リソース割当チャネル（Ｌ１/Ｌ２  ｃｏｎｔｒｏｌ  ｃｈａｎｎｅｌ）によって、移動局ＵＥに対する下り無線リソースとして、無線リソースを割当可能な最小の時間単位（１サブフレーム）よりも長い間有効となる無線リソースを割り当て、かかる下り無線リソースを用いて、下りデータを送信し、間欠受信タイミング（例えば、Ｏｎ  ｄｕｒａｔｉｏｎ）において無線基地局ｅＮＢから送信された無線リソース割当チャネル（Ｌ１/Ｌ２  ｃｏｎｔｒｏｌ  ｃｈａｎｎｅｌ）は、移動局UEに対する該下りデータについてのＨＡＲＱ制御の再送用の下り無線リソースを割り当てるもの（Ｌ１/Ｌ２  ｃｏｎｔｒｏｌ  ｃｈａｎｎｅｌ  −  ｐｅｒｓｉｓｔｅｎｔ  ＨＡＲＱ  ｒｅｔｒａｎｓｍｉｓｓｉｏｎ）である場合に、特定条件を満たすと判断されてもよい。
【０１０４】
本実施形態の第２の特徴は、無線基地局ｅＮＢから送信される信号に対して連続受信を行っている移動局ＵＥが、所定タイマ（インアクティビティタイマ）が満了する前に、無線基地局ｅＮＢから送信された無線リソース割当チャネル（Ｌ１/Ｌ２  ｃｏｎｔｒｏｌ  ｃｈａｎｎｅｌ）の中に移動局ＵＥに割り当てられている移動局識別子ｘｘｘが含まれていることを検出した場合には、所定タイマ（インアクティビティタイマ）を再起動し、所定タイマ（インアクティビティタイマ）が満了した場合には、無線基地局ｅＮＢから送信される信号に対して間欠受信を開始するように構成されている移動通信システムであって、無線基地局ｅＮＢから送信された無線リソース割当チャネル（Ｌ１/Ｌ２  ｃｏｎｔｒｏｌ  ｃｈａｎｎｅｌ）が、特定条件を満たす場合には、移動局ＵＥは、所定タイマ（インアクティビティタイマ）が満了する前に、無線基地局ｅＮＢから送信された無線リソース割当チャネル（Ｌ１/Ｌ２  ｃｏｎｔｒｏｌ  ｃｈａｎｎｅｌ）の中に移動局ＵＥに割り当てられている移動局識別子ｘｘｘが含まれていることを検出した場合であっても、所定タイマ（インアクティビティタイマ）を再起動しないように構成されていることを要旨とする。
【０１０５】
本実施形態の第２の特徴において、無線基地局ｅＮＢから送信された無線リソース割当チャネル（Ｌ１/Ｌ２  ｃｏｎｔｒｏｌ  ｃｈａｎｎｅｌ）は、移動局ＵＥに対する下り無線リソースとして、無線リソースを割当可能な最小の時間単位（１サブフレーム）よりも長い間有効となる無線リソースを割り当てるものである場合に、特定条件を満たすと判断されてもよい。
【０１０６】
本実施形態の第２の特徴において、無線基地局ｅＮＢと移動局ＵＥとの間でＨＡＲＱ制御が行われており、無線基地局ｅＮＢは、無線リソース割当チャネル（Ｌ１/Ｌ２  ｃｏｎｔｒｏｌ  ｃｈａｎｎｅｌ）によって、移動局ＵＥに対する下り無線リソースを割り当て、該下り無線リソースを用いて、下りデータを送信し、無線基地局ｅＮＢから送信された無線リソース割当チャネル（Ｌ１/Ｌ２  ｃｏｎｔｒｏｌ  ｃｈａｎｎｅｌ）は、移動局UEに対する該下りデータについてのＨＡＲＱ制御の再送用の下り無線リソースを割り当てるものである場合に、特定条件を満たすと判断されてもよい。
【０１０７】
本実施形態の第２の特徴において、無線基地局ｅＮＢは、無線リソース割当チャネル（Ｌ１/Ｌ２  ｃｏｎｔｒｏｌ  ｃｈａｎｎｅｌ）によって、移動局ＵＥに対する下り無線リソースとして、無線リソースを割当可能な最小の時間単位（１サブフレーム）よりも長い間有効となる無線リソースを割り当て、下り無線リソースを用いて、下りデータを送信し、無線基地局ｅＮＢから送信された無線リソース割当チャネル（Ｌ１/Ｌ２  ｃｏｎｔｒｏｌ  ｃｈａｎｎｅｌ）は、移動局UEに対する該下りデータについてのＨＡＲＱ制御の再送用の下り無線リソースを割り当てるもの（Ｌ１/Ｌ２  ｃｏｎｔｒｏｌ  ｃｈａｎｎｅｌ  −  ｐｅｒｓｉｓｔｅｎｔ  ＨＡＲＱ  ｒｅｔｒａｎｓｍｉｓｓｉｏｎ）である場合に、特定条件を満たすと判断されてもよい。
【０１０８】
本実施形態の第３の特徴は、無線基地局ｅＮＢから送信される信号に対して間欠受信を行っている移動局ＵＥが、間欠受信タイミング（例えば、ＯＮ  ｄｕｒａｔｉｏｎ）において無線基地局ｅＮＢから送信された無線リソース割当チャネル（Ｌ１/Ｌ２  ｃｏｎｔｒｏｌ  ｃｈａｎｎｅｌ）の中に移動局ＵＥに割り当てられている移動局識別子ｘｘｘが含まれていることを検出した場合に、無線基地局ｅＮＢから送信される信号に対して連続受信を開始するように構成されている移動通信システムで用いられる移動局ＵＥであって
、無線基地局ｅＮＢから送信される信号に対して間欠受信を行っている場合であっても、間欠受信タイミング（例えば、ＯＮ  ｄｕｒａｔｉｏｎ）において無線基地局ｅＮＢから送信された無線リソース割当チャネル（Ｌ１/Ｌ２  ｃｏｎｔｒｏｌ  ｃｈａｎｎｅｌ）が、特定条件を満たす場合には、無線基地局ｅＮＢから送信される信号に対して連続受信を開始せずに、無線基地局ｅＮＢから送信される信号に対して間欠受信を継続するように構成されていることを要旨とする。
【０１０９】
本実施形態の第３の特徴において、無線基地局ｅＮＢとの間でＨＡＲＱ制御が行われており、無線基地局ｅＮＢから送信された無線リソース割当チャネル（Ｌ１/Ｌ２  ｃｏｎｔｒｏｌ  ｃｈａｎｎｅｌ）は、無線基地局ｅＮＢによって移動局ＵＥに対して送信された下りデータについてのＨＡＲＱ制御の再送用の下り無線リソースを割り当てるものである場合に、特定条件を満たすと判断されてもよい。
【０１１０】
本実施形態の第４の特徴は、無線基地局ｅＮＢから送信される信号に対して連続受信を行っている移動局ＵＥが、所定タイマ（インアクティビティタイマ）が満了する前に、無線基地局ｅＮＢから送信された無線リソース割当チャネル（Ｌ１/Ｌ２  ｃｏｎｔｒｏｌ  ｃｈａｎｎｅｌ）の中に移動局ＵＥに割り当てられている移動局識別子ｘｘｘが含まれていることを検出した場合には、所定タイマ（インアクティビティタイマ）を再起動し、所定タイマ（インアクティビティタイマ）が満了した場合には、無線基地局ｅＮＢから送信される信号に対して間欠受信を開始するように構成されている移動通信システムで用いられる移動局ＵＥであって、所定タイマ（インアクティビティタイマ）が満了する前に、無線基地局ｅＮＢから送信された無線リソース割当チャネル（Ｌ１/Ｌ２  ｃｏｎｔｒｏｌ  ｃｈａｎｎｅｌ）の中に移動局ＵＥに割り当てられている移動局識別子ｘｘｘが含まれていることを検出した場合であっても、無線基地局ｅＮＢから送信された無線リソース割当チャネル（Ｌ１/Ｌ２  ｃｏｎｔｒｏｌ  ｃｈａｎｎｅｌ）が特定条件を満たす場合には、所定タイマ（インアクティビティタイマ）を再起動しないように構成されていること要旨とする。
【０１１１】
本実施形態の第４の特徴において、無線基地局ｅＮＢとの間でＨＡＲＱ制御を行うように構成されており、無線基地局ｅＮＢから送信された無線リソース割当チャネル（Ｌ１/Ｌ２  ｃｏｎｔｒｏｌ  ｃｈａｎｎｅｌ）は、無線基地局ｅＮＢによって移動局ＵＥに対して送信された下りデータについてのＨＡＲＱ制御の再送用の下り無線リソースを割り当てるものである場合に、特定条件を満たすと判断されてもよい。
【０１１２】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【０１１３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１１５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１６】
UE…移動局
ＵＥ…移動局
ｅＮＢ…無線基地局
ｘｘｘ…移動局識別子
１，２…インアクティビティタイマ
【図１】
2010252401.tif 000003
【図２】
2010252401.tif 000004
【図３】
2010252401.tif 000005
【図４】
2010252401.tif 000006
【図５】
2010252401.tif 000007
【図６】
2010252401.tif 000008
【図７】
2010252401.tif 000009
【図８】
2010252401.tif 000010
【図９】
2010252401.tif 000011
【図１０】
2010252401.tif 000012